【手続補正書】
【提出日】平成16年12月24日(2004.12.24)
【手続補正１】
【補正対象書類名】明細書
【補正対象項目名】特許請求の範囲
【補正方法】変更
【補正の内容】
【特許請求の範囲】
【請求項１】
イメージング装置のオペレータからグラフィック規定を取得する方法であって、第１のローカライザ画像（２０２、２０４、２０６）の第１の２次元図及び第２のローカライザ画像（２０２、２０４、２０６）の第２の２次元図を表示するステップ（２５６）であって、上記第１及び第２のローカライザ画像（２０２、２０４、２０６）の上記第１及び第２の２次元図が、グラフィック規定用インターフェース（２００、３００）の第１及び第２の観察領域（２０１、２０３、２０５）に表示されるようにするステップ（２５６）と、上記第１及び第２のローカライザ画像（２０２、２０４、２０６）の３次元図を表示するステップ（２５８）であって、上記３次元図は、グラフィック規定用インターフェース（２００、３００）の共通の観察領域（３０１）に上記第１及び第２のローカライザ画像（２０２、２０４、２０６）を互いに対してオーバーラップした態様で示している、ステップ（２５８）と、を有する当該方法。
【請求項２】
さらに、上記第１及び第２のローカライザ画像（２０２、２０４、２０６）の１つにおいて空間情報を規定し且つ所定の画像を取得しようとする所望の位置及び所望の向きを指示するオペレータ入力を取得するステップ（２６０）と、上記第１及び第２のローカライザ画像（２０２、２０４、２０６）の上記第１及び第２の２次元図と上記第１及び第２のローカライザ画像（２０２、２０４、２０６）の３次元図とに上記規定した空間情報を表示するステップ（２６０）とを含んでいる請求項１記載の方法。
【請求項３】
上記第１及び第２のローカライザ画像の少なくとも一方（２０２、２０４）が、上記所定の画像と該少なくとも一方のローカライザ画像（２０２、２０４）との交差部を指示する規定用マーク（２１０、２１２、２１４、２２０、２２２、２２４）を含んでいる、請求項２記載の方法。
【請求項４】
第１のローカライザ画像（２０２、２０４、２０６）の第１の２次元図及び第２のローカライザ画像（２０２、２０４、２０６）の第２の２次元図を含む第１のインターフェース（２００）と、上記第１及び第２のローカライザ画像（２０２、２０４、２０６）の３次元図を含む第２のインターフェース（３００）であって、該３次元図は、上記第１及び第２のローカライザ画像（２０２、２０４、２０６）を互いに対してオーバーラップした態様で示している、第２のインターフェース（３００）と、を有することを特徴とするグラフィック規定用インターフェース。
【請求項５】
所定の画像を取得しようとする所望の位置及び所望の向きを指示する規定用マーク（２１０、２１２、２１４、２２０、２２２、２２４、２３０）が、上記第１及び第２のローカライザ画像（２０２、２０４、２０６）の上記第１及び第２の２つの２次元図に表示されており、また、上記所定の画像を取得しようとする上記所望の位置及び上記所望の向きを指示する別の規定用マークが、上記第１及び第２のローカライザ画像（２０２、２０４、２０６）の３次元図に表示されている、請求項４記載のグラフィック規定用インターフェース。
【請求項６】
上記第１及び第２のローカライザ画像の少なくとも一方（２０２、２０４）が、上記所定の画像と該少なくとも一方のローカライザ画像（２０２、２０４）との交差部を指示する第１の規定用マーク（２１０、２１２、２１４、２２０、２２２、２２４）を含んでいる、請求項４記載のグラフィック規定用インターフェース。
【請求項７】
オペレータ入力を取得する手段（１０２）と、異なる透視方向から関心のある構造を示す第１及び第２のローカライザ画像（２０２、２０４、２０６）を表示するための表示手段（１０４）とを有し、上記第１及び第２のローカライザ画像（２０２、２０４、２０６）は、上記オペレータ入力の結果として上記第１及び第２のローカライザ画像（２０２、２０４、２０６）の一方において規定された空間情報が上記第１及び第２のローカライザ画像（２０２、２０４、２０６）の他方で観察可能であるように表示されると共に、上記第１及び第２のローカライザ画像（２０２、２０４、２０６）の一方において規定された空間情報における変更が上記第１及び第２のローカライザ画像（２０２、２０４、２０６）の他方で観察可能であるように表示され、上記表示手段（１０４）は、上記第１のローカライザ画像の第１の２次元図と、上記第２のローカライザ画像の第２の２次元図と、上記第１及び第２のローカライザ画像（２０２、２０４、２０６）の３次元図とを表示し、該３次元図は、上記第１及び第２のローカライザ画像（２０２、２０４、２０６）を互いに対してオーバーラップした態様で示していること、を特徴とするグラフィック規定用インターフェース。
【請求項８】
磁気共鳴イメージング装置のオペレータからグラフィック規定を取得する方法であって、第１のローカライザ画像（２０２、２０４、２０６）の第１の２次元図及び第２のローカライザ画像（２０２、２０４、２０６）の第２の２次元図を表示するステップ（２５６）であって、上記第１及び第２のローカライザ画像（２０２、２０４、２０６）の上記第１及び第２の２次元図が、グラフィック規定用インターフェース（２００、３００）の第１及び第２の観察領域（２０１、２０３、２０５）に表示されるようにするステップ（２５６）と、上記第１及び第２のローカライザ画像（２０２、２０４、２０６）の３次元図を表示するステップ（２５８）であって、上記３次元図は、上記グラフィック規定用インターフェース（２００、３００）の共通の観察領域（３０１）に上記第１及び第２のローカライザ画像（２０２、２０４、２０６）を互いに対してオーバーラップした態様で示している、ステップ（２５８）と、上記第１及び第２のローカライザ画像（２０２、２０４、２０６）の１つにおいて空間情報を規定し且つ所定の画像を取得しようとする所望の位置及び所望の向きを指示するオペレータ入力を取得するステップ（２６０）と、上記第１及び第２のローカライザ画像（２０２、２０４、２０６）の上記第１及び第２の２次元図と上記第１及び第２のローカライザ画像（２０２、２０４、２０６）の３次元図とに上記規定した空間情報を表示するステップ（２６０）であって、上記所定の画像と少なくとも１つの上記ローカライザ画像（２０２、２０４、２０６）との交差部を指示する少なくとも１つの規定用マーク（２１０、２１２、２１４、２２０、２２２、２２４）を表示し、且つ上記少なくとも１つのローカライザ画像（２０２、２０４、２０６）上への上記所定の画像の投影を指示する少なくとも１つの規定用マーク（２３０）を表示することを含んでいる、該表示するステップ（２６０）と、上記所定の画像を磁気共鳴イメージング・システムにより取得するステップ（２６４）であって、該取得した所定の画像が、上記規定した空間情報によって決定された上記関心のある構造の位置を描画し且つ上記規定した空間情報によって決定された向きから上記位置を描画している、該取得するステップ（２６４）と、を有する当該方法。
【請求項９】
上記第１及び第２のローカライザ画像の少なくとも一方（２０２）が第１及び第２の規定用マーク（４０１、４０２）を含んでおり、上記第１の規定用マーク（４０２）は、上記所定の画像と上記少なくとも一方のローカライザ画像（２０２）との間の空間関係を表しており、また上記第２の規定用マーク（４０２）は、上記所定の画像と以前に取得した画像との間の空間関係を表している、請求項８記載の方法。
【請求項１０】
上記のオペレータ入力を取得するステップ（２６０）の際に、オペレータ入力は、共通の軸に沿って配置される一連のローカライザ画像を形成する複数のローカライザ画像のうちの１つ（２０２、２０４、２０６）において空間情報を規定しており、上記上記第１及び第２のローカライザ画像の１つが上記複数のローカライザ画像のうちの１つ（２０２、２０４、２０６）であり、上記方法はさらに、記複数のローカライザ画像がオペレータに対して順次に表示されるように、オペレータ入力に応答して上記複数のローカライザ画像をスクロールするステップ（２５２）と、上記一連のローカライザ画像の中の複数の画像のうちの別の１つを選択する追加のオペレータ入力を取得するステップ（２６２）とを含んでおり、上記選択した画像が上記共通の軸に沿った上記所定の画像の所望の位置を指示している、請求項８記載の方法。